(57)【要約】  所定側面に設けられたロックレバー部（１１）と、所定側面と対向する側面又は正面部に接続端子（１２）が設けられたモジュラープラグ（１０）と、モジュラープラグ（１０）の挿入とともに、ロックレバー部（１１）が押圧された状態で滑動する溝部が内壁に形成されたハウジング部と、接続端子（１２）と嵌合する接続端子を有する受容部と、モジュラープラグ（１０）を環囲するように形成され、モジュラープラグ（１０）の所定側面と対向する面に孔部（２１）が形成されるとともに、モジュラープラグ（１０）が受容部に嵌合した状態で、モジュラープラグ（１０）が受容部に挿入された方向とは反対方向に引き出すことにより、孔部（２１）にロックレバー部（１１）の先端部が嵌入し、ロックレバーの押圧状態の開放を行うロック解除機構（２０）を有することを特徴とする接続コネクタ。
2010038283.tif 000002
【特許請求の範囲】
【請求項１】
第１の側面に設けられたロックレバー部と、前記第１の側面と対向する第２の側面又は正面部に第１の接続端子が設けられた接続コネクタ突起部と、
前記接続コネクタ突起部の挿入とともに、前記ロックレバーが押圧された状態で滑動する第１の溝部が内壁に形成されたハウジング部と、前記第１の接続端子と嵌合する第２の接続端子を有する接続コネクタ受容部と、
前記接続コネクタ突起部を環囲するように形成され、前記接続コネクタ突起部の前記第１の側面と対向する面に孔部が形成されるとともに、前記接続コネクタ突起部が前記接続コネクタ受容部に嵌合した状態で、前記接続コネクタ突起部が挿入された方向とは反対方向に引き出すことにより、前記孔部に前記ロックレバー部の先端部が嵌入し、前記ロックレバーの押圧状態の開放を行う接続コネクタ枠部を有することを特徴とする接続コネクタ。
【請求項２】
前記接続コネクタ突起部はさらに、
前記接続コネクタ突起部の第１の側面に設けられた第１の溝部と、前記第１の側面と対向する第２の側面に設けられた第２の溝部を有し、
前記接続コネクタ枠部はさらに、
前記第１の溝部に係合しながら滑動する第１の係合部と、前記第２の溝部に係合しながら滑動する第２の係合部を有することを特徴とする請求項１記載の接続コネクタ。
【請求項３】
前記接続コネクタ枠部は、断面が略コの字型であることを特徴とする請求項２記載の接続コネクタ。
【請求項４】
第１の側面に設けられたロックレバー部と前記第１の側面と対向する第２の側面又は正面部に第１の接続端子が設けられるとともに、接続コネクタ枠部によって環囲される接続コネクタ突起部が嵌合する接続コネクタ受容部を有する電子装置において、
前記接続コネクタ受容部は、
前記接続コネクタ突起部の挿入とともに、前記ロックレバーが押圧された状態で滑動する第１の溝部が内壁に形成されたハウジング部と、前記第１の接続端子と嵌合する第２の接続端子を有し、
前記接続コネクタ枠部は、
前記接続コネクタ突起部の前記第１の側面と対向する面に孔部が形成されるとともに、前記接続コネクタ突起部が前記接続コネクタ受容部に嵌合した状態で、前記接続コネクタ突起部が挿入された方向とは反対方向に引き出すことにより、前記孔部に前記ロックレバー部の先端部が嵌入し、前記ロックレバーの押圧状態の開放を行う接続コネクタ枠部を有することを特徴とする電子装置。
【請求項５】
前記接続コネクタ突起部はさらに、
前記接続コネクタ突起部の第１の側面に設けられた第１の溝部と、前記第１の側面と対向する第２の側面に設けられた第２の溝部を有し、
前記接続コネクタ枠部はさらに、
前記第１の溝部に係合しながら滑動する第１の係合部と、前記第２の溝部に係合しながら滑動する第２の係合部を有することを特徴とする請求項４記載の電子装置。
【請求項６】
前記接続コネクタ枠部は、断面が略コの字型であることを特徴とする請求項５記載の電子装置。
【請求項７】
接続コネクタの接続コネクタ突起部と接続コネクタ受容部との嵌合を抜脱する接続コネクタ抜脱方法において、
前記コネクタ突起部は、
第１の側面に設けられたロックレバー部と、前記第１の側面と対向する第２の側面又は正面部に第１の接続端子とが設けられ、
前記接続コネクタ受容部は、
前記接続コネクタ突起部の挿入とともに、前記ロックレバー部が押圧された状態で滑動する第１の溝部が内壁に形成されたハウジング部と、前記第１の接続端子と嵌合する第２の接続端子とを有し、
前記接続コネクタは、さらに、
前記接続コネクタ突起部を環囲するように形成され、前記接続コネクタ突起部の前記第１の側面と対向する面に孔部が形成される接続コネクタ枠部を有し、
前記接続コネクタ突起部が前記接続コネクタ受容部に嵌合した状態で、前記孔部に前記ロックレバー部の先端部が嵌入する嵌入ステップと、
前記嵌入ステップの後、前記接続コネクタ突起部が前記接続コネクタ受容部に挿入された方向とは反対方向に前記接続コネクタ枠部が移動することで、前記ロックレバー部の押圧状態の開放を行う開放ステップと、
を実行する接続コネクタ抜脱方法。
【請求項８】
第１の側面に設けられたロックレバー部と、前記第１の側面と対向する第２の側面又は正面部に第１の接続端子とが設けられた接続コネクタ突起部と、
前記接続コネクタ突起部の挿入とともに、前記ロックレバー部が押圧された状態で滑動する第１の溝部が内壁に形成されたハウジング部と、前記第１の接続端子と嵌合する第２の接続端子とを有する接続コネクタ受容部と、
前記接続コネクタ突起部を環囲するように形成され、前記接続コネクタ突起部が挿入された方向に押圧されることで前記ロックレバー部の端を自己の環囲内に潜り込ませ、前記ロックレバーの押圧状態の開放を行う接続コネクタ枠部とを有することを特徴とする接続コネクタ。
【請求項９】
前記接続コネクタ突起部はさらに、
前記接続コネクタ突起部の第１の側面に設けられた第１の溝部と、前記第１の側面と対向する第２の側面に設けられた第２の溝部を有し、
前記接続コネクタ枠部はさらに、
前記第１の溝部に係合しながら滑動する第１の係合部と、前記第２の溝部に係合しながら滑動する第２の係合部を有することを特徴とする請求項８記載の接続コネクタ。
【請求項１０】
前記接続コネクタ枠部は、断面が略コの字型であることを特徴とする請求項９記載の接続コネクタ。
【請求項１１】
第１の側面に設けられたロックレバー部と前記第１の側面と対向する第２の側面又は正面部に第１の接続端子が設けられるとともに、接続コネクタ枠部によって環囲される接続コネクタ突起部が嵌合する接続コネクタ受容部を有する電子装置において、
前記接続コネクタ受容部は、
前記接続コネクタ突起部の挿入とともに、前記ロックレバー部が押圧された状態で滑動する第１の溝部が内壁に形成されたハウジング部と、前記第１の接続端子と嵌合する第２の接続端子とを有し、
前記接続コネクタ枠部は、
前記接続コネクタ突起部が挿入された方向に押圧されることで前記ロックレバー部の端を自己の環囲内に潜り込ませ、前記ロックレバーの押圧状態の開放を行うことを特徴とする電子装置。
【請求項１２】
前記接続コネクタ突起部は、さらに、
前記接続コネクタ突起部の第１の側面に設けられた第１の溝部と、前記第１の側面と対向する第２の側面に設けられた第２の溝部を有し、
前記接続コネクタ枠部は、さらに、
前記第１の溝部に係合しながら滑動する第１の係合部と、前記第２の溝部に係合しながら滑動する第２の係合部を有することを特徴とする請求項１１記載の電子装置。
【請求項１３】
前記接続コネクタ枠部は、断面が略コの字型であることを特徴とする請求項１２記載の電子装置。
【請求項１４】
接続コネクタの接続コネクタ突起部と接続コネクタ受容部との嵌合を抜脱する接続コネクタ抜脱方法において、
前記コネクタ突起部は、
第１の側面に設けられたロックレバー部と、前記第１の側面と対向する第２の側面又は正面部に第１の接続端子とが設けられ、
前記接続コネクタ受容部は、
前記接続コネクタ突起部の挿入とともに、前記ロックレバーが押圧された状態で滑動する第１の溝部が内壁に形成されたハウジング部と、前記第１の接続端子と嵌合する第２の接続端子とを有し、
前記接続コネクタは、さらに、
前記接続コネクタ突起部を環囲するように形成される接続コネクタ枠部を有し、
前記接続コネクタ突起部が挿入された方向に前記接続コネクタ枠部が押圧される押圧ステップと、
押圧ステップにて前記接続コネクタ枠部が押圧されることで、前記ロックレバー部の端を自己の環囲内に潜り込ませ、前記ロックレバーの押圧状態の開放を行う開放ステップと、
を実行する接続コネクタ抜脱方法。
【発明の詳細な説明】
【技術分野】
【０００１】
本発明は、ＰＣＩカードに対するＬＡＮケーブルの抜脱を容易にする接続コネクタ、電子装置、接続コネクタ抜脱方法に関する。
【背景技術】
【０００２】
情報処理装置であるコンピュータにおいて、ＰＣＩ（Ｐｅｒｉｐｈｅｒａｌ  Ｃｏｍｐｏｎｅｎｔ  Ｉｎｔｅｒｃｏｎｎｅｃｔ）カードが活性交換可能な装置にはＰＣＩ活性交換用カセット（カートリッジ）にＰＣＩカードを搭載し、運用する方法が主流となりつつある。図２２(ａ)に示すように、ＰＣＩ活性交換用カセットの構造上、搭載されたＰＣＩカードの前面板は、装置表面から奥まったところに配置される。【０００３】
保守時、奥まったところに配置されているＰＣＩカードに接続されているＬＡＮケーブルを引き抜くためには、図２２（ｂ）に示すように指が入らない等の理由により、マイナスドライバー等の工具を使用して、ロック解除用のツメをケーブル方向に向けて押下することで、ＬＡＮケーブルのロックを解除し引き抜く必要がある。【０００４】
図２３に、ＰＣＩカードに従来のＬＡＮケーブルが接続されている状態を示す。ロック解除用ツメの突出量が少なく、指のみによるロック解除が困難であることがわかる。【０００５】
また、従来技術として、ジャックに接続されるプラグの抜き差しを容易に行えるようにするアクチュエータが開示されている。また、コネクタから引き抜く時にコネクタとのロックを解除する操作レバーを有したモジュラープラグに関し、コネクタからの離脱時における操作性の向上を図ると共にコネクタの小型化・薄型化を図るモジュラープラグが開示されている。【０００６】
さらに、従来技術として、小型化がはかれ、嵌合力の強度と作業性の向上がはかれる着脱機構付きコネクタが開示されており、また、スライドスリーブを作動させ、ロック部品をロック解除位置へ移動させて解除するプラグ接続部が開示されている。
【特許文献１】特開２００６−１３４８５８号公報
【特許文献２】特開２００８−１０２１０号公報
【特許文献３】特開２００５−２３５５４５号公報
【特許文献４】特開２００６−５２６２６２号公報
【発明の開示】
【発明が解決しようとする課題】
【０００７】
しかしながら、上述のマイナスドライバー等の工具を使用した作業は、工具準備等の手間や、工具が作業中に落下することにより他装置が損傷する場合もある。また、コンピュータ背面の作業となるため、背面がマシンルームの内壁と隣接している場合等、コンピュータの配置条件によっては物理的にコンピュータを設置位置からずらす作業が必要となる。【０００８】
また、ＰＣＩ活性交換用カセットに複数のＰＣＩカードが搭載されている場合において、ＰＣＩカードの中から特定のケーブルを引き抜くことは指が入らない等の理由により非常に困難である。【０００９】
本発明は上述した問題点を解決するためになされたものであり、ＰＣＩカードがコンピュータ背面の奥まったところに配置された場合や、高密度接続された場合でも、ＬＡＮコネクタのロック解除を容易にする接続コネクタ、電子装置、接続コネクタ抜脱方法を提供することを目的とする。
【課題を解決するための手段】
【００１０】
接続コネクタは、第１の側面に設けられたロックレバー部と、前記第１の側面と対向する第２の側面又は正面部に第１の接続端子が設けられた接続コネクタ突起部と、前記接続コネクタ突起部の挿入とともに、前記ロックレバーが押圧された状態で滑動する第１の溝部が内壁に形成されたハウジング部と、前記第１の接続端子と嵌合する第２の接続端子を有する接続コネクタ受容部と、前記接続コネクタ突起部を環囲するように形成され、前記接続コネクタ突起部の前記第１の側面と対向する面に孔部が形成されるとともに、前記接続コネクタ突起部が前記接続コネクタ受容部に嵌合した状態で、前記接続コネクタ突起部が挿入された方向とは反対方向に引き出すことにより、前記孔部に前記ロックレバー部の先端部が嵌入し、前記ロックレバーの押圧状態の開放を行う接続コネクタ枠部を有することを特徴とする。【００１１】
電子装置は、第１の側面に設けられたロックレバー部と前記第１の側面と対向する第２の側面又は正面部に第１の接続端子が設けられるとともに、接続コネクタ枠部によって環囲される接続コネクタ突起部が嵌合する接続コネクタ受容部を有する電子装置において、前記接続コネクタ受容部は、前記接続コネクタ突起部の挿入とともに、前記ロックレバーが押圧された状態で滑動する第１の溝部が内壁に形成されたハウジング部と、前記第１の接続端子と嵌合する第２の接続端子を有し、前記接続コネクタ枠部は、前記接続コネクタ突起部の前記第１の側面と対向する面に孔部が形成されるとともに、前記接続コネクタ突起部が前記接続コネクタ受容部に嵌合した状態で、前記接続コネクタ突起部が挿入された方向とは反対方向に引き出すことにより、前記孔部に前記ロックレバー部の先端部が嵌入し、前記ロックレバーの押圧状態の開放を行う接続コネクタ枠部を有することを特徴とする。【００１２】
接続コネクタ抜脱方法は、接続コネクタの接続コネクタ突起部と接続コネクタ受容部との嵌合を抜脱する接続コネクタ抜脱方法において、前記コネクタ突起部は、第１の側面に設けられたロックレバー部と、前記第１の側面と対向する第２の側面又は正面部に第１の接続端子とが設けられ、前記接続コネクタ受容部は、前記接続コネクタ突起部の挿入とともに、前記ロックレバー部が押圧された状態で滑動する第１の溝部が内壁に形成されたハウジング部と、前記第１の接続端子と嵌合する第２の接続端子とを有し、前記接続コネクタは、さらに、前記接続コネクタ突起部を環囲するように形成され、前記接続コネクタ突起部の前記第１の側面と対向する面に孔部が形成される接続コネクタ枠部を有し、前記接続コネクタ突起部が前記接続コネクタ受容部に嵌合した状態で、前記孔部に前記ロックレバー部の先端部が嵌入する嵌入ステップと、前記嵌入ステップの後、前記接続コネクタ突起部が前記接続コネクタ受容部に挿入された方向とは反対方向に前記接続コネクタ枠部が移動することで、前記ロックレバー部の押圧状態の開放を行う開放ステップと、を実行する。【００１３】
接続コネクタは、第１の側面に設けられたロックレバー部と、前記第１の側面と対向する第２の側面又は正面部に第１の接続端子とが設けられた接続コネクタ突起部と、前記接続コネクタ突起部の挿入とともに、前記ロックレバー部が押圧された状態で滑動する第１の溝部が内壁に形成されたハウジング部と、前記第１の接続端子と嵌合する第２の接続端子とを有する接続コネクタ受容部と、前記接続コネクタ突起部を環囲するように形成され、前記接続コネクタ突起部が挿入された方向に押圧されることで前記ロックレバー部の端を自己の環囲内に潜り込ませ、前記ロックレバーの押圧状態の開放を行う接続コネクタ枠部とを有することを特徴とする。【００１４】
電子装置は、第１の側面に設けられたロックレバー部と前記第１の側面と対向する第２の側面又は正面部に第１の接続端子が設けられるとともに、接続コネクタ枠部によって環囲される接続コネクタ突起部が嵌合する接続コネクタ受容部を有する電子装置において、前記接続コネクタ受容部は、前記接続コネクタ突起部の挿入とともに、前記ロックレバー部が押圧された状態で滑動する第１の溝部が内壁に形成されたハウジング部と、前記第１の接続端子と嵌合する第２の接続端子とを有し、前記接続コネクタ枠部は、前記接続コネクタ突起部が挿入された方向に押圧されることで前記ロックレバー部の端を自己の環囲内に潜り込ませ、前記ロックレバーの押圧状態の開放を行うことを特徴とする。【００１５】
接続コネクタ抜脱方法は、接続コネクタの接続コネクタ突起部と接続コネクタ受容部との嵌合を抜脱する接続コネクタ抜脱方法において、前記コネクタ突起部は、第１の側面に設けられたロックレバー部と、前記第１の側面と対向する第２の側面又は正面部に第１の接続端子とが設けられ、前記接続コネクタ受容部は、前記接続コネクタ突起部の挿入とともに、前記ロックレバーが押圧された状態で滑動する第１の溝部が内壁に形成されたハウジング部と、前記第１の接続端子と嵌合する第２の接続端子とを有し、前記接続コネクタは、さらに、前記接続コネクタ突起部を環囲するように形成される接続コネクタ枠部を有し、前記接続コネクタ突起部が挿入された方向に前記接続コネクタ枠部が押圧される押圧ステップと、押圧ステップにて前記接続コネクタ枠部が押圧されることで、前記ロックレバー部の端を自己の環囲内に潜り込ませ、前記ロックレバーの押圧状態の開放を行う開放ステップと、を実行する。
【図面の簡単な説明】
【００１６】
【図１】実施の形態１に係るモジュラープラグの一例を示す斜視図である。
【図２】実施の形態１に係るモジュラープラグの一例を示す六面図である。
【図３】実施の形態１に係るロック解除機構の一例を示す斜視図である。
【図４】実施の形態１に係るロック解除機構の一例を示す六面図である。
【図５】実施の形態１に係るＬＡＮコネクタの一例を示す斜視図である。
【図６】実施の形態１に係るＬＡＮコネクタの一例を示す六面図である。
【図７】実施の形態に係るＬＡＮボードの一例を示す平面図、正面図である。
【図８】実施の形態１に係るＬＡＮコネクタのロック解除方法の一例を説明する図である。
【図９】実施の形態２に係るモジュラープラグの一例を示す斜視図である。
【図１０】実施の形態２に係るモジュラープラグの一例を示す六面図である。
【図１１】実施の形態２に係るロック解除機構の一例を示す斜視図である。
【図１２】実施の形態２に係るロック解除機構の一例を示す六面図である。
【図１３】実施の形態２に係るＬＡＮコネクタの一例を示す斜視図である。
【図１４】実施の形態２に係るＬＡＮコネクタの一例を示す六面図である。
【図１５】実施の形態２に係るＬＡＮコネクタのロック解除方法の一例を説明する図である。
【図１６】実施の形態３に係るロック解除機構の一例を示す斜視図である。
【図１７】実施の形態３に係るロック解除機構の一例を示す六面図である。
【図１８】実施の形態３に係るＬＡＮコネクタの一例を示す斜視図である。
【図１９】実施の形態４に係るモジュラープラグ、ロック解除機構、ＬＡＮコネクタの一例を示す図である（その１）。
【図２０】実施の形態４に係るモジュラープラグ、ロック解除機構、ＬＡＮコネクタの一例を示す図である（その２）。
【図２１】実施の形態４に係るモジュラープラグ、ロック解除機構、ＬＡＮコネクタの一例を示す図である（その３）。
【図２２】従来のＬＡＮコネクタの問題点を示す図である（その１）。
【図２３】従来のＬＡＮコネクタの問題点を示す図である（その２）。
【発明を実施するための最良の形態】
【００１７】
（実施の形態１）
以下、実施の形態１について図面を参照しつつ説明する。まず、図１にＬＡＮケーブルのモジュラープラグに着目した斜視図、および図２に六面図を示す。尚、図２（ａ)は、モジュラープラグの左側面図、図２（ｂ）は平面図、図２（ｃ）は右側面図、図２（ｄ）は底面図、図２（ｅ）は正面図、図２（ｆ）は背面図を示す。これらの図面において、同一符号は同一物である。【００１８】
モジュラープラグ１０（接続コネクタ突起部）は、ロックレバー部１１、接続端子１２（第１の接続端子）、溝部１３、ダボ収容部１４とを少なくとも備えている。【００１９】
ロックレバー部１１は、一端がモジュラープラグ１０の一つの側面（第１の側面）と結合されており、中心部が鈍角に屈曲し、他端が鋭角に屈曲しフック形状として成る。また、ロックレバー部１１は、従来のＬＡＮモジュラープラグ同様バネ性があり、何も力が加わらない状態ではＰＣＩカード（以下、ＬＡＮボードと称す）とＬＡＮケーブルとが嵌合するロック位置となり、中心部に下方向（ＬＡＮケーブル方向）に力が加わることで、ＬＡＮボードとの嵌合が解除される。【００２０】
接続端子１２は、従来のＬＡＮケーブルと同様、モジュラープラグ１０がＬＡＮボードと嵌合した場合に電気的通信を行う端子であり、４ペア８芯タイプのツイストペアケーブル用の端子である。【００２１】
溝部１３は、後述するロック解除機構２０がモジュラープラグ１０上を係合しながら滑動するための凹型溝であり、接続端子１２が配置された面を正面とした場合、モジュラープラグ１０の右側面および左側面にそれぞれ設けられている。【００２２】
ダボ収容部１４は、後述するロック解除機構２０のダボ部２２を収容するものであり、ダボ部２２のドーム形状と嵌合するよう椀型の形状である。【００２３】
次に、図３に実施の形態１のロック解除機構の斜視図、および図４にロック解除機構の六面図を示す。尚、図４（ａ)は、ロック解除機構の左側面図、図４（ｂ）は平面図、図４（ｃ）は右側面図、図４（ｄ）は底面図、図４（ｅ）は正面図、図４（ｆ）は背面図を示す。これらの図面において、同一符号は同一物である。【００２４】
ロック解除機構２０（接続コネクタ枠部）は、モジュラープラグ１０を環囲するようにコの字型（Ｕ字型）に形成されている。また、ロック解除機構２０は、孔部２１、ダボ部２２、係合部２３を備える。【００２５】
孔部２１は、ロックレバー部１１のフック形状の端部が嵌入するために設けられた孔であり、ロック解除機構２０における、ロックレバー部１１が結合されたモジュラープラグ１０の側面と相対する面に備えられる。【００２６】
係合部２３は、溝部１３に係合しながらロック解除機構２０がモジュラープラグ１０に対し滑動するための機構であり、ロック解除機構２０の右側壁の端部、および左側壁の端部がそれぞれ９０度内側に屈曲されることで成る。【００２７】
ダボ部２２は、モジュラープラグ１０に対するロック解除機構２０の滑動動作を抑止するためのものである。ダボ部２２は係合部２３にドーム状に凸設されており、ダボ収納部１４にダボ部２２が収納されることで、滑動動作が抑止される。【００２８】
次に、モジュラープラグ１０とロック解除機構２０とが嵌合したＬＡＮコネクタ１を図５の斜視図で示し、また図６の六面図で示す。尚、図６（ａ)は、ＬＡＮコネクタ１の左側面図、図６（ｂ）は平面図、図６（ｃ）は右側面図、図６（ｄ）は底面図、図６（ｅ）は正面図、図６（ｆ）は背面図を示す。これらの図面において、同一符号は同一物である。【００２９】
ロックレバー部１１のフック形状の端部が孔部２１に嵌入し、また溝部１３と係合部２３とが係合することでモジュラープラグ１０とロック解除機構２０とが嵌合し、ＬＡＮコネクタ１として成る。【００３０】
ここで、ＬＡＮボードの構成図を図７に示す。図７（ａ）はＬＡＮボード１０１の平面図、図７（ｂ）はＬＡＮボード１０１の正面図をそれぞれ示している。【００３１】
ＬＡＮボード１０１は従来のＬＡＮボードと変わり無い構成となっており、モジュラープラグ１０の挿入とともに、ロックレバー部１１が押圧された状態で滑動する溝部が内壁に形成されたハウジング部１１１と、モジュラープラグ１０の接続端子１２と嵌合する接続端子１１２とを少なくとも備えた構成となっている。また、ＬＡＮボード１０１は、従来のＬＡＮボードと同様、ＬＡＮ通信を制御する通信制御回路搭載ボード１２０を備える。【００３２】
次に、実施の形態１におけるＬＡＮボード１０１とＬＡＮコネクタ１とが嵌合された状態で、ＬＡＮコネクタ１を引き抜く方法を図８を参照しつつ説明する。尚、ＬＡＮコネクタ１をＬＡＮボード１０１のハウジング部１１１に差し込む方法は従来同様であるため、ここでの説明を割愛する。【００３３】
作業者は、まずロック解除機構２０を保持し、その後溝部１３と係合部２３によるスライドに基づきロック解除機構２０を抜脱方向（図８におけるａ方向）に移動させる。ロック解除機構２０の移動によって、孔部２１にロックレバー部１１のフック形状の端部が嵌入する。作業者は、抜脱方向にロック解除機構２０を抜脱方向に更に移動させことで、抜脱方向の移動に連動してロックレバー部１１の中央部の屈曲がさらに鈍角となり、中心部の屈曲点が下方すなわち図８におけるａ’に移動する。【００３４】
このようにすることで、従来のロック解除用のツメをケーブル方向に向けて押下することと同様の効果を得ることができ、ロックレバーの押圧状態の開放を行うことができる。【００３５】
上述に示した構造により、接続部が奥まった狭い場所にある場合でも、工具等を用いることなく容易にＬＡＮカードとＬＡＮコネクタとのロック解除を行うことができる。【００３６】
また、ダボ収容部１４およびダボ部２２を設けることで、ロック解除機構２０を特定の箇所に固定することができる。このようなロック解除機構２０の固定機構によって、作業者は意識して外そうとしない限りロック解除機構２０が外れることは無くなる。【００３７】
（実施の形態２）
実施の形態２におけるＬＡＮケーブルのモジュラープラグに着目した斜視図を図９に示し、図１０にモジュラープラグに着目した六面図を示す。尚、図１０（ａ)は、モジュラープラグの左側面図、図１０（ｂ）は平面図、図１０（ｃ）は右側面図、図１０（ｄ）は底面図、図１０（ｅ）は正面図、図１０（ｆ）は背面図を示す。これらの図面において、同一符号は同一物である。【００３８】
モジュラープラグ１０Ａ（接続コネクタ突起部）は、ロックレバー部１１Ａ、接続端子１２（第１の接続端子）、溝部１３、ダボ収容部１４とを少なくとも備えている。尚、接続端子１２、溝部１３、およびダボ収容部１４は、実施の形態１と同様であるため説明を割愛する。【００３９】
ロックレバー部１１Ａは、一端がモジュラープラグ１０Ａの一つの側面（第１の側面）と結合されており、中心部が鈍角に屈曲した形状として成る。また、ロックレバー部１１Ａの他端は自由端であり、モジュラープラグ１０Ａの表面近傍もしくはモジュラープラグ１０Ａの表面と接触している位置にある。【００４０】
またロックレバー部１１Ａは、現行のＬＡＮモジュラープラグ同様バネ性があり、何も力が加わらない状態ではＬＡＮボード（例えば実施の形態１で説明したＬＡＮボード１０１）とＬＡＮケーブルとが嵌合するロック位置となり、中心部に下方向に力が加わることで、ＬＡＮボードとＬＡＮケーブルとの嵌合がはずれる。【００４１】
次に、図１１に実施の形態２のロック解除機構の斜視図、および図１２にロック解除機構の六面図を示す。尚、図１２（ａ)は、ロック解除機構の左側面図、図１２（ｂ）は平面図、図１２（ｃ）は右側面図、図１２（ｄ）は底面図、図１２（ｅ）は正面図、図１２（ｆ）は背面図を示す。これらの図面において、同一符号は同一物である。【００４２】
ロック解除機構２０Ａ（接続コネクタ枠部）は、実施の形態１のロック解除機構２０と同様モジュラープラグ１０を環囲するようにコの字型（Ｕ字型）に形成されている。また、ロック解除機構２０Ａは、ダボ部２２、係合部２３、ロックレバー潜入支援部２４を備える。【００４３】
ロックレバー潜入支援部２４は、ＬＡＮカードからＬＡＮケーブルを抜脱する際に、ロックレバー部１１Ａの自由端を少なくとも含んだロックレバー部１１Ａの一部が、ＬＡＮケーブルとロック解除機構２０Ａの内壁との間に潜り込むこと、すなわちロック解除機構２０Ａの環囲内に潜り込むことを支援する。【００４４】
ロックレバー潜入支援部２４は、ロックレバー部１１が結合されたモジュラープラグ１０の上面と相対するロック解除機構２０Ａの内面に備えられている。またロックレバー潜入支援部２４は、ロックレバー部１１が潜入する箇所であり、ロック解除機構２０Ａの他の内壁厚みよりも厚みが薄く、段差となっている箇所を指す。このようなロックレバー潜入支援部２４を設けることで、ロックレバー部１１の自由端が潜入する箇所の間口が広くなり、自由端が潜り込みやすくなる。【００４５】
ダボ部２２、係合部２３は、実施の形態１と同様であるため、ここでの説明は割愛する。【００４６】
次に、モジュラープラグ１０Ａとロック解除機構２０Ａとが嵌合したＬＡＮコネクタ１Ａを図１３の斜視図で示し、また図１４の六面図で示す。尚、図１４（ａ)は、ＬＡＮコネクタ１Ａの左側面図、図１４（ｂ）は平面図、図１４（ｃ）は右側面図、図１４（ｄ）は底面図、図１４（ｅ）は正面図、図１４（ｆ）は背面図を示す。これらの図面において、同一符号は同一物である。【００４７】
溝部１３と係合部２３とが係合することでモジュラープラグ１０Ａとロック解除機構２０Ａとが嵌合し、ＬＡＮコネクタ１Ａとして成る。【００４８】
次に、実施の形態２におけるＬＡＮボード（例えば実施の形態１で説明したＬＡＮボード１０１）とＬＡＮコネクタ１Ａとが嵌合された状態で、ＬＡＮコネクタ１Ａを引き抜く方法を、図１５を参照しつつ説明する。尚、ＬＡＮコネクタ１ＡをＬＡＮボード１０１のハウジング部１１１に差し込む方法は従来同様であるため、ここでの説明を割愛する。【００４９】
作業者は、まずロック解除機構２０Ａを保持し、その後溝部１３と係合部２３によるスライドに基づきロック解除機構２０ＡをＬＡＮコネクタ１Ａ側へ向けて（すなわち図１５におけるｂ方向）移動させる。ロック解除機構２０Ａの移動によりロックレバー部１１の自由端とロック解除機構２０Ａのロックレバー潜入支援部２４とが接する。かかる状態でさらにロック解除機構２０Ａがｂ方向に移動することで、ロックレバー部１１Ａの自由端がＬＡＮケーブルとロック解除機構２０Ａの内壁との間に潜り込む。【００５０】
ロックレバー部１１Ａの自由端がロック解除機構２０Ａの内側に潜り込んだ状態で、ロック解除機構２０Ａがロックレバー部１１Ａにｂ方向に押圧を加わると、ロックレバー部１１Ａは更にロック解除機構２０Ａの内壁に潜入することとなる。ロックレバー部１１Ａが潜入する程、ロックレバー部１１Ａの中央部の屈曲が鈍角となり、屈曲点が下方（図１５におけるｂ’方向）に移動する。【００５１】
このようにすることで、従来のロック解除用のツメをケーブル方向に向けて押下することと同様の効果を得ることができ、ロックレバーの押圧状態の開放を行うことができ、またＬＡＮコネクタの接続部が奥まった狭い場所にある場合でも容易にＬＡＮボードに対するロック解除を行えるようになる。【００５２】
（実施の形態３）
実施の形態２において、モジュラープラグとロック解除機構とは常に嵌合した状態であってもよいが、通常はロック解除機構をモジュラープラグから外しておき、ＬＡＮコネクタをＬＡＮボードから引き抜く際のみロック解除機構をモジュラープラグに嵌合させることもできる。この場合において、ロック解除機構をモジュラープラグに嵌合させる際、実施の形態２のロック解除機構ではロックレバー潜入支援部２４の位置をロック解除機構外部から確認することが困難となる。【００５３】
実施の形態３は、かかる問題点を解消するため、実施の形態２のロック解除機構２０Ａのロックレバー潜入支援部２４の形状を変えた形態である。図１６に実施の形態３におけるロック解除機構の斜視図、および図１７にロック解除機構の六面図を示す。尚、図１７（ａ)は、ロック解除機構の左側面図、図１７（ｂ）は平面図、図１７（ｃ）は右側面図、図１７（ｄ）は底面図、図１７（ｅ）は正面図、図１７（ｆ）は背面図を示す。これらの図面において、同一符号は同一物である。【００５４】
実施の形態３におけるロック解除機構２０Ｂは、ダボ部２２、係合部２３、ロックレバー潜入支援部２４Ａを備える。尚、ダボ部２２、係合部２３は、実施の形態１、２と同様であるため、ここでの説明を割愛する。【００５５】
ロックレバー潜入支援部２４Ａは、実施の形態２のロックレバー潜入支援部２４に対し、さらに、ロック解除機構２０Ｂの上面外部から収容箇所を視認できるように開口して成る。【００５６】
図１８に実施の形態３のＬＡＮコネクタの斜視図を示す。ＬＡＮコネクタ１Ｂは、実施の形態２と同様のモジュラープラグ１０Ａおよび上述記載のロック解除機構２０Ｂを有する。尚、ＬＡＮコネクタ１Ｂの引き抜き方法は、実施の形態２と同様であるためここでの説明を割愛する。【００５７】
（実施の形態４）
実施の形態１で示したＬＡＮコネクタ１は、ロック解除機構とロックレバー部とが嵌合することで接続され、ロック解除機構を引き抜き方向に移動させることで、ＬＡＮボードに対するロックレバー部のロック解除がなされ、ＬＡＮボードからモジュラープラグが外れる。【００５８】
このことは、ロック解除機構とロックレバー部との接続さえ確立されていれば、実施の形態１と同様方法でロック解除を行うことが可能であることを意味する。実施の形態４では、実施の形態１以外のロック解除機構とロックレバー部との接続形態の例を示す。以下、図１９から図２１の各図面を参照しつつ説明する。【００５９】
まず、図１９で示す例について説明する。図１９（ａ）にモジュラープラグ１０Ｂの側面図、図１９（ｂ）にロック解除機構２０Ｃの平面図および断面図、および図１９（ｃ）にモジュラープラグとロック解除機構とが接続された形態であるＬＡＮコネクタ１Ｃの側面図を示す。【００６０】
モジュラープラグ１０Ｂは、端部６１が球状であるロックレバー部１１Ｃを備える（図１８(ａ)参照）。また、ロック解除機構２０Ｃは、上面側にロックレバー部１１Ｃの端部６１と嵌合するための端部収容部６２を備える（図１８（ｂ）参照）。【００６１】
ロックレバー部１１Ｃの端部６１と、ロック解除機構２０Ｃの端部収容部６２とが嵌合することで、モジュラープラグ１０Ｂとロック解除機構２０Ｃとが接続される（図１８（ｃ）参照）。この接続状態においてロック解除機構２０Ｃが引き抜かれる方向すなわち図１８（ｃ）のａ方向に移動することで、実施の形態１同様にＬＡＮケーブルとＬＡＮボードとの嵌合が解除される。【００６２】
次に、別の例として、図２０にモジュラープラグ１０Ｃの平面図および側面図（図２０（ａ））、ロック解除機構２０Ｄの側面図（図２０（ｂ））、およびモジュラープラグとロック解除機構とが接続した形態であるＬＡＮコネクタ１Ｄの側面図（図２０（ｃ））をそれぞれ示す。【００６３】
モジュラープラグ１０Ｃは、球状突起部６２Ａと嵌合するための孔６１Ａを端部に備えたロックレバー部１１Ｄを有する（図１９（ａ）参照）。また、ロック解除機構２０Ｄは、側面にロックレバー部１１Ｄの孔６１Ａと嵌合する球状突起部６２Ａを備える（図１８（ｂ）参照）。【００６４】
ロックレバー部１１Ｄの孔６１Ａと、ロック解除機構２０Ｄの球状突起部６２Ａとが嵌合することで、モジュラープラグ１０Ｃとロック解除機構２０Ｄとが接続される（図２０（ｃ）参照）。この接続状態においてロック解除機構２０Ｄが引き抜かれる方向すなわち図２０（ｃ）のａ方向に移動することで、実施の形態１同様にＬＡＮケーブルとＬＡＮボードとの嵌合が解除される。【００６５】
さらに、他の例として、図２１にモジュラープラグ１０Ｄの平面図および側面図（図２１（ａ））、ロック解除機構２０Ｅの側面図（図２１（ｂ））、およびモジュラープラグ１０Ｄとロック解除機構２０Ｅとが接続した形態であるＬＡＮコネクタ１Ｅの側面図（図２１（ｃ））をそれぞれ示す。【００６６】
モジュラープラグ１０Ｄは、図２０（ａ）で示した嵌合用の孔６１Ａを有する端部であって、モジュラープラグ１０Ｄの上面に対し垂直となるように屈曲された端部６１Ｂを有する（図１９（ａ）参照）。ロック解除機構２０Ｅは、図２０（ｂ）にて示した球状突起部６２Ａと、球状突起部を水平に支持する台形形状の支持部とによって構成された結合部６２Ｂを備える（図２０（ｂ）参照）。【００６７】
ロックレバー部１１Ｄの端部６１Ｂと、結合部６２Ｂとが嵌合することで、モジュラープラグ１０Ｄとロック解除機構２０Ｅとが接続される（図２１（ｃ）参照）。この接続状態においてロック解除機構２０Ｅが引き抜かれる方向すなわち図２１（ｃ）のａ方向に移動することで、実施の形態１同様にＬＡＮケーブルとＬＡＮボードとの嵌合が解除される。【００６８】
接続コネクタは、実施の形態１のＬＡＮコネクタ１とハウジング部１１１、接続端子１１２に対応し、また実施の形態２のＬＡＮコネクタ１Ａとハウジング部１１１、接続端子１１２に対応する。【００６９】
また、接続コネクタは、実施の形態３のＬＡＮコネクタ１Ｂとハウジング部１１１、接続端子１１２に対応する。さらに、接続コネクタは、実施の形態４のＬＡＮコネクタ１Ｃ、１Ｄ、１Ｅとハウジング部１１１、接続端子１１２に対応する。【００７０】
電子装置は、実施の形態１のＬＡＮコネクタ１とハウジング部１１１、接続端子１１２、通信制御回路搭載ボード１２０に対応し、また実施の形態２のＬＡＮコネクタ１Ａとハウジング部１１１、接続端子１１２、通信制御回路搭載ボード１２０に対応する。【００７１】
また、接続コネクタは、実施の形態３のＬＡＮコネクタ１Ｂとハウジング部１１１、接続端子１１２、通信制御回路搭載ボード１２０に対応する。さらに、接続コネクタは、実施の形態４のＬＡＮコネクタ１Ｃ、１Ｄ、１Ｅとハウジング部１１１、接続端子１１２、通信制御回路搭載ボード１２０に対応する。
【産業上の利用可能性】
【００７２】
以上説明したように、たとえ奥まったところに配置されているボードからケーブルを引き抜く際であっても、工具等を使用することなくロック解除を行うことが可能となる。その結果、信頼性向上、工数削減を図ることができる。
【図１】
2010038283.tif 000003
【図２】
2010038283.tif 000004
【図３】
2010038283.tif 000005
【図４】
2010038283.tif 000006
【図５】
2010038283.tif 000007
【図６】
2010038283.tif 000008
【図７】
2010038283.tif 000009
【図８】
2010038283.tif 000010
【図９】
2010038283.tif 000011
【図１０】
2010038283.tif 000012
【図１１】
2010038283.tif 000013
【図１２】
2010038283.tif 000014
【図１３】
2010038283.tif 000015
【図１４】
2010038283.tif 000016
【図１５】
2010038283.tif 000017
【図１６】
2010038283.tif 000018
【図１７】
2010038283.tif 000019
【図１８】
2010038283.tif 000020
【図１９】
2010038283.tif 000021
【図２０】
2010038283.tif 000022
【図２１】
2010038283.tif 000023
【図２２】
2010038283.tif 000024
【図２３】
2010038283.tif 000025
【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
第１の側面に設けられたロックレバー部と、前記第１の側面と対向する第２の側面又は正面部に第１の接続端子が設けられた接続コネクタ突起部と、
前記接続コネクタ突起部の挿入とともに、前記ロックレバーが押圧された状態で滑動する第１の溝部が内壁に形成されたハウジング部と、前記第１の接続端子と嵌合する第２の接続端子を有する接続コネクタ受容部と、
前記接続コネクタ突起部を環囲するように形成され、前記接続コネクタ突起部の前記第１の側面と対向する面に孔部が形成されるとともに、前記接続コネクタ突起部が前記接続コネクタ受容部に嵌合した状態で、前記接続コネクタ突起部が挿入された方向とは反対方向に引き出すことにより、前記孔部に前記ロックレバー部の先端部が嵌入し、前記ロックレバーの押圧状態の開放を行う接続コネクタ枠部を有することを特徴とする接続コネクタ。
【請求項２】
前記接続コネクタ突起部はさらに、
前記接続コネクタ突起部の第１の側面に設けられた第１の溝部と、前記第１の側面と対向する第２の側面に設けられた第２の溝部を有し、
前記接続コネクタ枠部はさらに、
前記第１の溝部に係合しながら滑動する第１の係合部と、前記第２の溝部に係合しながら滑動する第２の係合部を有することを特徴とする請求項１記載の接続コネクタ。
【請求項３】
前記接続コネクタ枠部は、断面が略コの字型であることを特徴とする請求項２記載の接続コネクタ。
【請求項４】
第１の側面に設けられたロックレバー部と前記第１の側面と対向する第２の側面又は正面部に第１の接続端子が設けられるとともに、接続コネクタ枠部によって環囲される接続コネクタ突起部が嵌合する接続コネクタ受容部を有する電子装置において、
前記接続コネクタ受容部は、
前記接続コネクタ突起部の挿入とともに、前記ロックレバーが押圧された状態で滑動する第１の溝部が内壁に形成されたハウジング部と、前記第１の接続端子と嵌合する第２の接続端子を有し、
前記接続コネクタ枠部は、
前記接続コネクタ突起部の前記第１の側面と対向する面に孔部が形成されるとともに、前記接続コネクタ突起部が前記接続コネクタ受容部に嵌合した状態で、前記接続コネクタ突起部が挿入された方向とは反対方向に引き出すことにより、前記孔部に前記ロックレバー部の先端部が嵌入し、前記ロックレバーの押圧状態の開放を行う接続コネクタ枠部を有することを特徴とする電子装置。
【請求項５】
前記接続コネクタ突起部はさらに、
前記接続コネクタ突起部の第１の側面に設けられた第１の溝部と、前記第１の側面と対向する第２の側面に設けられた第２の溝部を有し、
前記接続コネクタ枠部はさらに、
前記第１の溝部に係合しながら滑動する第１の係合部と、前記第２の溝部に係合しながら滑動する第２の係合部を有することを特徴とする請求項４記載の電子装置。
【請求項６】
前記接続コネクタ枠部は、断面が略コの字型であることを特徴とする請求項５記載の電子装置。
【請求項７】
接続コネクタの接続コネクタ突起部と接続コネクタ受容部との嵌合を抜脱する接続コネクタ抜脱方法において、
前記コネクタ突起部は、
第１の側面に設けられたロックレバー部と、前記第１の側面と対向する第２の側面又は正面部に第１の接続端子とが設けられ、
前記接続コネクタ受容部は、
前記接続コネクタ突起部の挿入とともに、前記ロックレバー部が押圧された状態で滑動する第１の溝部が内壁に形成されたハウジング部と、前記第１の接続端子と嵌合する第２の接続端子とを有し、
前記接続コネクタは、さらに、
前記接続コネクタ突起部を環囲するように形成され、前記接続コネクタ突起部の前記第１の側面と対向する面に孔部が形成される接続コネクタ枠部を有し、
前記接続コネクタ突起部が前記接続コネクタ受容部に嵌合した状態で、前記孔部に前記ロックレバー部の先端部が嵌入する嵌入ステップと、
前記嵌入ステップの後、前記接続コネクタ突起部が前記接続コネクタ受容部に挿入された方向とは反対方向に前記接続コネクタ枠部が移動することで、前記ロックレバー部の押圧状態の開放を行う開放ステップと、
を実行する接続コネクタ抜脱方法。
【請求項８】
第１の側面に設けられたロックレバー部と、前記第１の側面と対向する第２の側面又は正面部に第１の接続端子とが設けられた接続コネクタ突起部と、
前記接続コネクタ突起部の挿入とともに、前記ロックレバー部が押圧された状態で滑動する第１の溝部が内壁に形成されたハウジング部と、前記第１の接続端子と嵌合する第２の接続端子とを有する接続コネクタ受容部と、
前記接続コネクタ突起部を環囲するように形成され、前記接続コネクタ突起部が挿入された方向に押圧されることで前記ロックレバー部の端を自己の環囲内に潜り込ませ、前記ロックレバーの押圧状態の開放を行う接続コネクタ枠部とを有することを特徴とする接続コネクタ。
【請求項９】
第１の側面に設けられたロックレバー部と前記第１の側面と対向する第２の側面又は正面部に第１の接続端子が設けられるとともに、接続コネクタ枠部によって環囲される接続コネクタ突起部が嵌合する接続コネクタ受容部を有する電子装置において、
前記接続コネクタ受容部は、
前記接続コネクタ突起部の挿入とともに、前記ロックレバー部が押圧された状態で滑動する第１の溝部が内壁に形成されたハウジング部と、前記第１の接続端子と嵌合する第２の接続端子とを有し、
前記接続コネクタ枠部は、
前記接続コネクタ突起部が挿入された方向に押圧されることで前記ロックレバー部の端を自己の環囲内に潜り込ませ、前記ロックレバーの押圧状態の開放を行うことを特徴とする電子装置。
【請求項１０】
接続コネクタの接続コネクタ突起部と接続コネクタ受容部との嵌合を抜脱する接続コネクタ抜脱方法において、
前記コネクタ突起部は、
第１の側面に設けられたロックレバー部と、前記第１の側面と対向する第２の側面又は正面部に第１の接続端子とが設けられ、
前記接続コネクタ受容部は、
前記接続コネクタ突起部の挿入とともに、前記ロックレバーが押圧された状態で滑動する第１の溝部が内壁に形成されたハウジング部と、前記第１の接続端子と嵌合する第２の接続端子とを有し、
前記接続コネクタは、さらに、
前記接続コネクタ突起部を環囲するように形成される接続コネクタ枠部を有し、
前記接続コネクタ突起部が挿入された方向に前記接続コネクタ枠部が押圧される押圧ステップと、
押圧ステップにて前記接続コネクタ枠部が押圧されることで、前記ロックレバー部の端を自己の環囲内に潜り込ませ、前記ロックレバーの押圧状態の開放を行う開放ステップと、
を実行する接続コネクタ抜脱方法。
【国際調査報告】
2010038283.tif 000026
2010038283.tif 000027
2010038283.tif 000028
2010038283.tif 000029